(57)【要約】【課題】別体の複数の部材で構成される壁掛け金具を水平に壁に簡易に取り付けることができる技術を提供する。【解決手段】上側壁掛け金具１の一端をネジで仮止めした後、上側壁掛け金具１の左右対称位置の係止部１４と下側壁掛け金具２の左右対称位置の係止部２４で吊り下げ部材３ａ、３ｂを係止させ、上側壁掛け金具１と下側壁掛け金具２を吊り下げ部材３ａ、３ｂにより連結させる。吊り下げ部材３ａ、３ｂのラインとガイドライン１２ａ、１２ｃ、２２ａ、２２ｃとを合わせるように、上側壁掛け金具１の他端を壁に沿って摺動させることで、上側壁掛け金具１と下側壁掛け金具２の水平出しを行うことができる。【選択図】図２
2014003544.tif 000002
【特許請求の範囲】
【請求項１】
テレビの壁掛け装置であって、
２つの壁掛け金具を有し、
前記壁掛け金具には、左右対称位置にガイドとなる形状が長手方向に対して垂直に形成されている
ことを特徴とする壁掛け装置。
【請求項２】
前記２つの壁掛け金具は、前記ガイド上の係止手段で係止される吊り下げ部材を介して上下方向に連結されることを特徴とする請求項１に記載の壁掛け装置。
【請求項３】
前記壁掛け金具の少なくとも一方には、中央に吊り下げ部材を係止する係止手段が設けられていることを特徴とする請求項１又は２に記載の壁掛け装置。
【請求項４】
前記吊り下げ部材には、テレビの下辺に対応する位置を示す目印が設けられていることを特徴とする請求項２又は３に記載の壁掛け装置。
【請求項５】
前記吊り下げ部材には、水平部材が設けられていることを特徴とする請求項２から４までのいずれか一項に記載の壁掛け装置。
【発明の詳細な説明】
【技術分野】
【０００１】
本発明は、テレビの壁掛け装置に関し、特に、別体の複数の部材で構成される壁掛け金具を有する壁掛け装置に関する。
【背景技術】
【０００２】
近年、テレビジョン受像機（以下、テレビと呼ぶ）の薄型化・軽量化が進んだことで、テレビの設置形態として壁掛けタイプが増えてきている。通常、テレビを壁に設置するには、壁掛け装置を水平・垂直に壁に取り付けた後に、テレビを壁掛け装置に取り付ける。
【０００３】
このとき、壁掛け装置が水平に壁に取り付けられていないと、テレビが斜めに設置されることになる。そのため、壁掛け装置が水平に壁に取り付けられることが重要となる。水準器を用いれば、壁掛け装置が水平に壁に取り付けられているかを確認できるが、設置時に水準器を用意し忘れる場合があり、水準器が無くても簡易に設置可能な技術が求められていた。
【０００４】
これについて、例えば、特許文献１の技術では、壁掛け装置に取り外し可能に設けられた小扉を、壁掛け装置の設置時に筐体本体部から取り外して、筐体本体部の天面に引っ掛けると、小扉の左右重量バランスが取れて小扉が水平の姿勢を保った形で静止する。そして、小扉の水平部材と筐体本体部の水平基準線とを調整合致させることで、水準器を用いずに、筐体本体部を壁面に対して水平・垂直に設置可能とすることが開示されている。
【先行技術文献】
【特許文献】
【０００５】
【特許文献１】特開２０１１−２１０９１４号公報
【発明の概要】
【発明が解決しようとする課題】
【０００６】
しかしながら、特許文献１の技術では、壁面に取り付けられる筐体が一体として構成される壁掛け装置を前提としており、別体の複数の部材で構成される壁掛け金具を壁に取り付ける場合に、各部材をそれぞれ水平に壁に取り付けることができなかった。
【０００７】
本発明は上記課題に鑑みてなされたものであり、別体の複数の部材で構成される壁掛け金具を水平に壁に簡易に取り付けることができる技術を提供することを目的とする。
【課題を解決するための手段】
【０００８】
本発明の壁掛け装置は、テレビの壁掛け装置であって、２つの壁掛け金具を有し、前記壁掛け金具には、左右対称位置にガイドとなる形状が長手方向に対して垂直に形成されていることを特徴とする。
また、前記２つの壁掛け金具は、前記ガイド上の係止手段で係止される吊り下げ部材を介して上下方向に連結されてもよい。
また、前記壁掛け金具の少なくとも一方には、中央に吊り下げ部材を係止する係止手段が設けられてもよい。
また、前記吊り下げ部材には、テレビの下辺に対応する位置を示す目印が設けられてもよい。
また、前記吊り下げ部材には、水平部材が設けられてもよい。
【発明の効果】
【０００９】
本発明によれば、別体の複数の部材で構成される壁掛け金具を水平に壁に簡易に取り付けることができる。
【図面の簡単な説明】
【００１０】
【図１】本発明に係る実施形態の壁掛け装置の外観図である。
【図２】図１に示す壁掛け装置を壁に取り付ける際の手順を示す図である。
【図３】図２（ｂ）に示すＡ−Ａ断面図である。
【図４】図１に示す壁掛け装置にテレビを取り付ける際の手順を示す図である。
【発明を実施するための形態】
【００１１】
以下、図を参照して本発明の実施形態を詳細に説明する。
【００１２】
図１に示すように、本実施形態の壁掛け装置は、上壁掛け金具１と、下壁掛け金具２と、２つの吊り下げ部材３ａ、３ｂとを備えている。以下、上側壁掛け金具１と下側壁掛け金具２とを区別せずに説明する場合、単に「壁掛け金具」として説明する。
【００１３】
上側壁掛け金具１は、所定間隔で配置された複数のネジ孔１１ａ〜１１ｈを有し、このネジ孔１１ａ〜１１ｈを介して壁にネジ留めされる。同様に、下側壁掛け金具２も、所定間隔で配置された複数のネジ孔２１ａ〜２１ｈを介して壁にネジ留めされる。上側壁掛け金具１と下側壁掛け金具２は、壁掛け設置されるテレビの背面に壁掛け用に設けられた壁掛け金具の取付ピッチに対応して、互いに上下に水平に離間して壁に固定されるものである。
【００１４】
上側壁掛け金具１には、中心に１本と、中心を基準とした左右対称位置に１本ずつの合計３本のガイドライン１２ａ、１２ｂ、１２ｃが設けられている。同様に、下側壁掛け金具２にも、中心に１本と、中心を基準とした左右対称位置に１本ずつの合計３本のガイドライン２２ａ、２２ｂ、２２ｃが設けられている。ガイドライン１２ａ、１２ｂ、１２ｃ、２２ａ、２２ｂ、２２ｃは、印刷や溝等で構成され、矩形の壁掛け金具の長手方向に対して垂直に設けられている。ガイドライン１２ａ、１２ｃ、２２ａ、２２ｃは、後述する吊り下げ部材３ａ、３ｂとの連携により水平出しに用いられる。
【００１５】
また、上側壁掛け金具１には、その略中央に長手方向に沿って突出部１３が連接されている。下側壁掛け金具２にも、略中央に長手方向に沿って突出部２３が連接されている。突出部１３、２３は、断面Ｌ字状で互いに内側に空間を有するように向かい合って形成されている。この空間は、吊り下げ部材３ａ、３ｂの係止体３１ａ、３２ａ、３１ｂ、３２ｂを収容可能な広さとなっている。また、突出部１３には、ガイドライン１２ａ、１２ｂ、１２ｃと重なる位置に係止部１４が設けられている。同様に、突出部２３には、ガイドライン２２ａ、２２ｂ、２２ｃと重なる位置に係止部２４が設けられている。係止部１４、２４は、吊り下げ部材３ａ、３ｂを係止するためのものであり、ここでは、スリットで構成されている。スリットの幅は、吊り下げ部材３ａ、３ｂの鎖状部材の太さよりも広く、吊り下げ部材３ａ、３ｂの係止体３１ａ、３２ａ、３１ｂ、３２ｂの直径よりも狭くなっている。
【００１６】
吊り下げ部材３ａ、３ｂは、少なくとも下側壁掛け金具２をぶら下げ可能な強度を有し、形状を自由に変形可能な材料（例えば鎖等）で構成されている。また、吊り下げ部材３ａ（３ｂ）には、球状の２つの係止体３１ａ、３２ａ（３１ｂ、３２ｂ）が設けられている。係止体３１ａ、３２ａ（３１ｂ、３２ｂ）間のピッチは、壁掛け金具間がテレビの壁掛け金具の取付ピッチに対応して離間するように調整される。係止体３１ａをガイドライン１２ａ上の係止部１４に係止させ、係止体３１ｂをガイドライン１２ｃ上の係止部１４に係止させ、係止体３２ａをガイドライン２２ａ上の係止部２４に係止させ、係止体３２ｂをガイドライン２２ｃ上の係止部２４に係止させると、吊り下げ部材３ａ、３ｂにより壁掛け金具間が連結される。
【００１７】
吊り下げ金具３ａ（３ｂ）における係止体３２ａ（３２ｂ）の係止位置は、テレビのサイズや種類によって異なる壁掛け金具取り付けピッチの違いに合わせて、変えることができるように構成されている。係止体３２ａ（３２ｂ）は、中央に貫通した孔が形成され、この孔に吊り下げ部材３ａ（３ｂ）が挿通されており、例えば、吊り下げ部材３ａ（３ｂ）上の任意の位置で、係止体３２ａ（３２ｂ）を左右から押し潰すことで係止させることができる。また、吊り下げ部材３ａ（３ｂ）上の任意の位置で係止するように、係止体３２ａ（３２ｂ）に吊り下げ部材３ａ（３ｂ）を巻き付けてもよいし、係止体３２ａ（３２ｂ）の側面にネジ孔を設け、吊り下げ部材３ａ（３ｂ）を押し付けるように側面からネジ留めして係止させてもよい。
【００１８】
次に、図２を参照して壁面に対する壁掛け金具の取り付け手順を説明する。
【００１９】
まず、図２（ａ）に示すように、上側壁掛け金具１を壁に当てて、左右いずれか端のネジ孔１１ａ、１１ｄを利用して壁にネジ５０で仮止めする（図示では左端のネジ孔１１ａを用いてネジ留めしている）。なお、ここで「仮止め」とは、上側壁掛け金具１のネジ留めされていない側が壁を摺動可能な程度にネジ留めされることを言う。
【００２０】
次に、図２（ｂ）に示すように、突出部１３の隙間から吊り下げ部材３ａの係止体３１ａを差し入れて、上側壁掛け金具１のガイドライン１２ａ上の係止部１４を介して係止体３１ａを係止させ、ガイドライン１２ａを伝わせて吊り下げ部材３ａを垂らす。他方の吊り下げ部材３ｂについても同様に、上側壁掛け金具１のガイドライン１２ｃ上の係止部１４を介して係止させ、ガイドライン１２ｃを伝わせて吊り下げ部材３ｂを垂らす。
【００２１】
このときのＡ−Ａ断面図を図３に示す。突出部１３は、内部に係止体３１ｂを収容可能な空間を有する一方、係止部１４のスリット幅が吊り下げ部材３ｂの太さよりも広く係止体３１ｂの直径よりも狭く構成されている。そのため、係止体３１ｂは、係止部１４で引っ掛かって突出部１３の下側内部空間で係止するが、吊り下げ部材３ｂの係止体３１ｂ以外の部分は、係止部１４で係止せず、係止部１４を通過して下方に向かって外側に引き出される。
【００２２】
次に、図２（ｃ）に示すように、下側壁掛け金具２を壁にあてがい、吊り下げ部材３ａの他方の係止体３２ａを下側壁掛け金具２に設けられたガイドライン２２ａ上の係止部２４に係止させる。この場合、下側壁掛け金具２における吊り下げ部材３ａの係止状態は、図３に示す上側壁掛け金具１の場合と逆になり、係止体３２ａが係止部２４により突出部２３の上側内部空間で係止し、吊り下げ部材３ａの係止体３２ａ以外の部分が、係止部２４を通過して上方に向かって外側に引き出された状態となる。同様に、吊り下げ部材３ｂの他方の係止体３２ｂを下側壁掛け金具２に設けられたガイドライン２２ｃ上の係止部２４に係止させる。これにより、上側壁掛け金具１と下側壁掛け金具２が２本の吊り下げ部材３ａ、３ｂを介して連結され、下側壁掛け金具２が、吊り下げ部材３ａ、３ｂを介して上側壁掛け金具１から吊るされた状態となる。
【００２３】
この状態で、上側壁掛け金具１のネジ５０で仮止めされていない側を上下に壁に摺動させて、図２（ｄ）に示すように、ガイドライン１２ａ、２２ａと吊り下げ部材３ａとが直線状に並び、ガイドライン１２ｃ、２２ｃと吊り下げ部材３ｂとが直線状に並ぶように調整する。
【００２４】
このとき、吊り下げ部材３ａ、３ｂの吊り下がり方向は、下側壁掛け金具２の重さに引っ張られて、即時に鉛直方向となる。そのため、吊り下げ部材３ａ（３ｂ）と壁掛け金具の長手方向に対して垂直に形成されたガイドライン１２ａ、１２ｃ（２２ａ、２２ｃ）とが直線状に重なることで、壁掛け金具の長手方向における水平を取ることができる。また、吊り下げ部材３ａの係止体３１ａ、３２ａと吊り下げ部材３ｂの係止体３１ｂ、３２ｂ間のピッチは一致している。そのため、上側壁掛け金具１のガイドライン１２ａ、１２ｃと吊り下げ部材３ａ、３ｂとが重なるとき、下側壁掛け金具２のガイドライン２２ａ、２２ｃと吊り下げ部材３ａ、３ｂも重なる。つまり、上側壁掛け金具１の水平を取ることで、下側壁掛け金具２の水平を同時に取ることができる。
【００２５】
そして、これにより、上側壁掛け金具１と下側壁掛け金具２の位置決めができたので、上側壁掛け金具１と下側壁掛け金具２とをネジ留めする。仮止めしていたネジ５０も本締めしてネジ留めする。これにより、上側壁掛け金具１と下側壁掛け金具２とが、壁掛け設置されるテレビの背面に壁掛け用に設けられた壁掛け金具の取付ピッチに対応して、互いに上下に水平に離間して壁に固定される。
【００２６】
次に、図４を参照して壁に取り付けた上側壁掛け金具１と下側壁掛け金具２にテレビ６を取り付ける手順を説明する。
【００２７】
まず、図４（ａ）に示すように、吊り下げ部材３ｂ（吊り下げ部材３ａでもよい）を上側壁掛け金具１と下側壁掛け金具２から外して、係止体３１ｂを下側壁掛け金具２の中央のガイドライン２２ｂ上の係止部２４に嵌合させて係止させ、ガイドライン２２ｂを伝わせて吊り下げ部材３ｂを垂らす。この吊り下げ部材３ｂは、壁掛け金具のセンターラインを表す。また、上側壁掛け金具１と下側壁掛け金具２とにテレビ取付用突起５１を装着する。
【００２８】
そして、図４（ｂ）に示すように、下側壁掛け金具２の中央の係止部２４から垂れ下がった吊り下げ部材３ｂのラインとテレビ６のセンターラインとを合わせる。図４（ｂ）の側面図である図４（ｃ）に示すように、吊り下げ部材３ｂの一部は、テレビ６の下方から露出している。そのため、これにより、上側壁掛け金具１と下側壁掛け金具２に対するテレビ６の左右の位置決めを行うことができる。そして、テレビ６の壁掛け金具取付孔とテレビ取付用突起５１とを係合させ、テレビ６を壁掛け金具に取り付ける。なお、テレビ６の下辺等には、テレビ６のセンターラインを示す印が設けられているものとする。
【００２９】
また、このとき、中央のガイドライン２２ｂ上の係止部２４に係止される吊り下げ部材３ｂには、予め吊り下げられたときにテレビ６の下辺に対応する位置を示す目印６０が設けられていてもよい。これによれば、テレビ６を壁掛け金具に取り付ける際に、中央から垂れ下がった吊り下げ部材３ｂに設けられた目印６０にテレビ６の下辺を合わせながら、テレビ６を壁掛け金具に取り付けることができる。つまり、これにより、壁掛け金具に対するテレビ６の上下の位置決めを行うことができる。なお、目印６０は、係止体３２ｂの係止位置をテレビ６の下辺に対応する位置に調整し直すことで設けられてもよい。
【００３０】
通常、テレビ６を壁掛け金具に取り付ける際に、（特に大型テレビの場合）テレビ６で壁掛け金具が覆われて見えなくなり、設置者から壁掛け金具の取り付け位置が分からなくなる。しかし、本実施形態によれば、壁掛け金具が見えなくても、吊り下げ部材３ｂがテレビ６の下方から垂れ下がって見える。そのため、下側壁掛け金具２の中央のガイドライン２２ｂ上の係止部２４から垂れ下がった吊り下げ部材３ｂのラインとテレビ６のセンターラインとを合わせ、更にその吊り下げ部材３ｂに設けられた目印６０とテレビ６の下辺とを合わせることで、壁掛け金具に対するテレビ６の取り付け中心位置を合わせることができ、簡易に壁掛け金具にテレビ６を取り付けることができる。
【００３１】
なお、下側壁掛け金具２の中央のガイドライン２２ｂ上の係止部２４に係止される吊り下げ部材３ｂに、棒等で構成される水平部材を取り付けてもよい。これによれば、この水平部材によって更にテレビ６の水平を合わせることもできる。
【００３２】
なお、上記実施形態では、上側壁掛け金具１と下側壁掛け金具２とが同一である場合を例に説明したが、例えば、上側壁掛け金具１に中央のガイドライン１２ｂ及び係止部１４を設けない等、下側壁掛け金具２と異なるように構成してもよい。また、下側壁掛け金具２に中央のガイドライン２２ｂを設けず、単に中央に係止部２４を設けてもよい。
【００３３】
本発明は上述した実施の形態に限定されるものではなく、本発明の趣旨を逸脱しない範囲で種々様々に変更が可能であることは言うまでもない。例えば、吊り下げ部材３ａ、３ｂは、設置者が用意するタコ糸等で代替されてもよく、この場合、係止体３１ａ、３２ａ、３１ｂ、３２ｂはタコ糸の結び目により形成されてもよい。なお、上記実施形態において、同様の機能を示す構成には、同一の符号を付してある。
【符号の説明】
【００３４】
１：上側壁掛け金具
２：下側壁掛け金具
３ａ、３ｂ：吊り下げ部材
６：テレビ
１１ａ〜１１ｈ、２１ａ〜２１ｈ：ネジ孔
１２ａ、１２ｂ、１２ｃ、２２ａ、２２ｂ、２２ｃ：ガイドライン
１３、２３：突出部
１４、２４：係止部
３１ａ、３２ａ、３１ｂ、３２ｂ：係止体
５０：ネジ
５１：テレビ取付用突起
６０：目印
【図１】
2014003544.tif 000003
【図２】
2014003544.tif 000004
【図３】
2014003544.tif 000005
【図４】
2014003544.tif 000006